(57)【要約】【課題】雄パーツとの掛合を押し込みによって解くボタン体を備えた雌パーツのこのボタン体が予期せず押し込まれてしまうことがないようにする。【解決手段】雌パーツ２は、押し込み前位置においてケース２０の第一開口２０２から突き出されたボタン体２２の操作部２２３側を、倒伏位置において、裏面側からカバー内空間２４２に受け入れ覆うようになっていると共に、倒伏位置から前方に向けた回動を可能とした状態でケース２０に回動可能に組み付けられているカバー体２４を有している。ボタン体２２の入れ込み空間に臨んだ縁部が、ボタン体２２の押し込み前位置において入れ込み部１１の顎部１１２に掛合されるようになっている。【選択図】図１
2006130182.tif 000002
【特許請求の範囲】
【請求項１】
一方部材の取り付け部を備えた雄パーツと、他方部材の取り付け部を備えた雌パーツとからなるバックルであって、
雄パーツは、頭部と顎部と頸部とを備えた入れ込み部を有しており、
雌パーツは、
ケースと、
後端を操作部とすると共に、ケースに形成された第一開口から前端を先にしてこのケース内に前後方向にスライド可能に入れ込まれてこのケースに組み合わされたボタン体と、
ケース内にあって、ボタン体の操作部側がこのケースの第一開口から所定寸法突き出された押し込み前位置にこのボタン体を位置づけるようにこのボタン体を付勢する付勢手段と、
押し込み前位置においてケースの第一開口から突き出されたボタン体の操作部側を、倒伏位置において、裏面側からカバー内空間に受け入れ覆うようになっていると共に、倒伏位置から前方に向けた回動を可能とした状態でケースに回動可能に組み付けられているカバー体とを有しており、
さらに、ケースには、ボタン体の移動方向に交叉する向きから雄パーツの入れ込み部をケース内に受け入れさせる第二開口が設けられていると共に、
ボタン体には、ケース内において第二開口に連通する雄パーツの入れ込み部の受け入れ空間が形成されていると共に、この受け入れ空間に臨んだ縁部が、ボタン体の押し込み前位置において入れ込み部の顎部に掛合されるようになっていることを特徴とするバックル。
【請求項２】
ボタン体の操作部側に、カバー体の倒伏位置においてこのカバー体に形成された第一係合部に係脱可能に係合される第一被係合部が形成されていることを特徴とする請求項１記載のバックル。
【請求項３】
ケースに、倒伏位置から前方に向けて起立位置まで回動されたカバー体に形成された第二係合部に係脱可能に係合される第二被係合部が形成されていることを特徴とする請求項１又は請求項２記載のバックル。
【請求項４】
ボタン体の操作部側には、このボタン体のスライド方向に沿った側部から側方に突き出す外部突所が形成されていると共に、
カバー体には、押し込み前位置にあるボタン体の外部突所とケースの第一開口縁との間に、カバー体の倒伏位置への回動によって入り込むが、
押し込み前位置と最大押し込み位置との間にボタン体が位置されている状態ではボタン体の外部突所に突き当たって前記間に入り込まないように構成された内部突所が形成されていることを特徴とする請求項１〜請求項３のいずれか１項に記載のバックル。
【請求項５】
倒伏位置にあるカバー体の内部突所におけるケースの第一開口に向けられた面が、最大押し込み位置にあるボタン体の操作部に突き当てられるようになっていることを特徴とする請求項１〜請求項４のいずれか１項に記載のバックル。
【請求項６】
雌パーツのケースに取り付け部が形成されていると共に、
この取り付け部が、ケースの外面部に形成された軸部に回転可能に組み付けられた回転動作体に形成されていることを特徴とする請求項１〜請求項５のいずれか１項に記載のバックル。
【発明の詳細な説明】
【技術分野】
【０００１】
この発明は、雄パーツと雌パーツとから構成されており、両パーツを留め付け合わせることにより、雄パーツの取り付けられた一方部材と、雌パーツの取り付けられた他方部材とを、つなぎ合わせるように用いられるバックルの改良に関する。
【背景技術】
【０００２】
天壁と底壁に対をなす係合穴が設けられているクリップ本体と、この係合穴にバネ片の付勢に抗した押し込み位置で穴を連通させるようにこのクリップ本体に入れ込まれた摺動体とを有しており、この摺動体の押し込み状態において係合穴に雄桿を通した後のこの押し込みの解除により押し込み前の位置に移動される摺動体によって、この雄桿の設けられた部材にストラップをつなぎ合わせるようにしたストラップホルダーがある。（特許文献１参照）
【０００３】
しかるに、かかるストラップホルダーにあっては、摺動体は押し込み前の位置においてはクリップ本体からその一部を突き出させており、このため、この一部に予期しない押圧力の作用を蒙る可能性を持つものであった。
【特許文献１】実開昭６３−１５７３２４号公報
【発明の開示】
【発明が解決しようとする課題】
【０００４】
この発明が解決しようとする主たる問題点は、雄パーツとの掛合を押し込みによって解くボタン体を備えた雌パーツのこのボタン体が予期せず押し込まれてしまうことがないようにする点にある。
【課題を解決するための手段】
【０００５】
前記問題点を解決するために、この発明にあってはバックルを、以下の（１）〜（５）の構成を備えたものとした。
（１）一方部材の取り付け部を備えた雄パーツと、他方部材の取り付け部を備えた雌パーツとからなるバックルであって、
（２）雄パーツは、頭部と顎部と頸部とを備えた入れ込み部を有しており、
（３）雌パーツは、
ケースと、
後端を操作部とすると共に、ケースに形成された第一開口から前端を先にしてこのケース内に前後方向にスライド可能に入れ込まれてこのケースに組み合わされたボタン体と、
ケース内にあって、ボタン体の操作部側がこのケースの第一開口から所定寸法突き出された押し込み前位置にこのボタン体を位置づけるようにこのボタン体を付勢する付勢手段と、
押し込み前位置においてケースの第一開口から突き出されたボタン体の操作部側を、倒伏位置において、裏面側からカバー内空間に受け入れ覆うようになっていると共に、倒伏位置から前方に向けた回動を可能とした状態でケースに回動可能に組み付けられているカバー体とを有しており、
（４）さらに、ケースには、ボタン体の移動方向に交叉する向きから雄パーツの入れ込み部をケース内に受け入れさせる第二開口が設けられていると共に、
（５）ボタン体には、ケース内において第二開口に連通する雄パーツの入れ込み部の受け入れ空間が形成されていると共に、この受け入れ空間に臨んだ縁部が、ボタン体の押し込み前位置において入れ込み部の顎部に掛合されるようになっている。
【０００６】
かかる構成によれば、カバー体によってボタン体の操作部側を覆わない状態において、ボタン体の操作部を利用してこのボタン体を付勢手段の付勢に抗して押し込み前位置からケース内に押し込むことにより、第二開口を通じてボタン体の受け入れ空間内に雄パーツの入れ込み部を入れ込ませることができると共に、この後、ボタン体の押し込み操作を解くことにより、付勢手段の付勢によりボタン体を押し込み前位置まで押し戻すことができる。ボタン体が押し込み前位置まで押し戻されると、ボタン体における受け入れ空間に臨んだ縁部が雄パーツの入れ込み部の顎部に掛合され、この入れ込み部の雌パーツを構成するケース内からの抜き出しが阻止される。これにより雄パーツと雌パーツとが留め合わされ、雄パーツに取り付けられた一方部材と雌パーツに取り付けられた他方部材とがバックルを介してつなぎ合わされることとなる。そして、この状態からカバー体を倒伏位置に回動させることにより、押し込み前位置に復帰されたボタン体の操作部側をカバー体によって覆ってこのボタン体の操作部側が予期せず押し込まれてしまうことがない状態をワンタッチで作り出すことができる。雄パーツと雌パーツとの留め合わせの解除は、倒伏位置にあるカバー体を前方に向けて回動させてボタン体の操作部側を露出させた後、この操作部を利用してボタン体をケース内に押し込むことによりなすことができる。
【０００７】
前記ボタン体の操作部側に、カバー体の倒伏位置においてこのカバー体に形成された第一係合部に係脱可能に係合される第一被係合部を形成させておくこともある。
【０００８】
このようにした場合、カバー体が伏倒位置にあってボタン体の操作部側を覆った状態を、仮に維持させることができる。
【０００９】
前記ケースに、倒伏位置から前方に向けて起立位置まで回動されたカバー体に形成された第二係合部に係脱可能に係合される第二被係合部を形成させておくこともある。
【００１０】
このようにした場合、カバー体が起立位置にあってボタン体の操作部側を露出させた状態を、仮に維持させることができ、この状態でのボタン体の押し込み操作をなすにあたってカバー体が邪魔にならないようにすることができる。
【００１１】
前記ボタン体の操作部側に、このボタン体のスライド方向に沿った側部から側方に突き出す外部突所を形成させておくと共に、
カバー体に、押し込み前位置にあるボタン体の外部突所とケースの第一開口縁との間に、カバー体の倒伏位置への回動によって入り込むが、
押し込み前位置と最大押し込み位置との間にボタン体が位置されている状態ではボタン体の外部突所に突き当たって前記間に入り込まないように構成された内部突所を形成させておくこともある。
【００１２】
このようにした場合、雄パーツの入れ込み部の顎部にボタン体の受け入れ空間に臨んだ縁部が掛合された状態、つまり、ボタン体が押し込み前位置まで付勢手段の付勢により押し戻された状態になっていない場合には、カバー体の倒伏位置までの回動をできなくすることができ、雄パーツの入れ込み部の顎部にボタン体の受け入れ空間に臨んだ縁部が適切に掛合されていない状態を使用者に容易に認識させることができる。
【００１３】
前記倒伏位置にあるカバー体の内部突所におけるケースの第一開口に向けられた面が、最大押し込み位置にあるボタン体の操作部に突き当てられるようにしておくこともある。
【００１４】
このようにした場合、ボタン体を最大押し込み位置に位置づけた状態でカバー体を倒伏位置に回動位置づけることにより付勢手段の付勢に抗してこのボタン体が最大押し込み位置にある状態を維持することができ、ケース内に雄パーツの入れ込み部を入れ込ませても雄パーツと雌パーツとが留め付けられることがない状態を維持させることができる。
【００１５】
前記雌パーツのケースに取り付け部を形成させておくと共に、
この取り付け部を、ケースの外面部に形成された軸部に回転可能に組み付けられた回転動作体に形成させておくこともある。
【００１６】
かかる構成によれば、雌パーツに他方部材をその取り付けの向きを可変可能に取り付けさせることができる。
【発明の効果】
【００１７】
この発明にかかるバックルにあっては、雄パーツとの掛合状態において雌パーツを構成するケースから付勢手段の付勢により突き出されるボタン体の操作部側をカバー体によって覆うようにしてあることから、このボタン体がかかる付勢に抗してケース内に予期ぜず押し込まれてしまうことがない。
【発明を実施するための最良の形態】
【００１８】
以下、図１ないし図１６に基づいて、この発明を実施するための最良の形態について説明する。
【００１９】
なお、ここで図１は、実施の形態にかかるバックルを構成する雄パーツ１と雌パーツ２とを分離させた状態として示しており、また、図２は、これらを留め合わせることにより二つの帯状体Ｗ、Ｗをつなぎ合わせた様子を示している。
【００２０】
また、図３ないし図５は、ボタン体２２が押し込み前位置にあり、カバー体２４が倒伏位置にある状態を示しており、
図６ないし図８は、ボタン体２２が押し込み前位置にあり、カバー体２４が起立位置にある状態を示しており、
図９ないし図１１は、ボタン体２２が押し込み前位置と最大押し込み位置との間にあり、カバー体２４が倒伏位置と起立位置との間にある状態を示しており、
図１２および図１３は、ボタン体２２が最大押し込み位置にあり、カバー体２４が倒伏位置にある状態を示している。
【００２１】
また、図１４および図１５は、雌パーツ２を構成する各部品を分離させた状態で一緒に表しており、また、図１６は、このうちのボタン体２２のみを断面にして表している。
【００２２】
この実施の形態にかかるバックルは、雄パーツ１と雌パーツ２とから構成されており、両パーツ１、２を留め付け合わせることにより、典型的には、雄パーツ１の取り付けられた帯状体Ｗと、雌パーツ２の取り付けられた帯状体Ｗとを、バックルを介してつなぎ合わせるように用いられるものである。
【００２３】
（バックル）
この実施の形態にかかるバックルは、バックルを介してつなぎ合わされる一方部材Ｗ’の取り付け部１０を備えた雄パーツ１と、
バックルを介してつなぎ合わされる他方部材Ｗ”の取り付け部２０１を備えた雌パーツ２とから構成されている。
【００２４】
かかる一方部材Ｗ’は、二以上の場合もあり、この場合には、雄パーツ１に二カ所以上の取り付け部１０が設けられることになる。
【００２５】
また、かかる他方部材Ｗ”も、二以上の場合もあり、この場合には、雌パーツ２に二カ所以上の取り付け部２０１が設けられることになる。
【００２６】
例えば、一方部材Ｗ’が一本の帯状体Ｗであり、かつ、他方部材Ｗ”が二本の帯状体Ｗである場合、バックルを介して、三本の帯状体Ｗが留め付け合わされることとなる。
【００２７】
（バックル／雄パーツ１）
雄パーツ１は、前記取り付け部１０と、頭部１１１と顎部１１２と頸部１１３とを備えた入れ込み部１１とを有している。
【００２８】
図示の例では、かかる取り付け部１０は、四隅をアール状に成形された略正方形状の板状体１０１として構成されている。一方、入れ込み部１１は、かかる板状体１０１の一面の略中央部からこの一面に直交する向きに突き出すように形成されている。図示の例では、かかる入れ込み部１１は、前記板状体１０１に筒一端を一体に連接させてこの板状体１０１から突き出す円筒状体の閉塞された筒他端側に、この筒他端との間にやや間隔を開けて、周回溝１１４を形成させるようにして構成されている。この周回溝１１４と筒他端との間が前記頭部１１１となり、周回溝１１４の溝底が前記頸部１１３となり、この周回溝１１４に臨んだ頭部１１１の面が前記顎部１１２として機能するようになっている。
【００２９】
そして、図示の例にあっては、一方部材Ｗ’となる帯状体Ｗを構成する一方生地Ｗ’ａに形成された貫通穴Ｗ’ｂから前記入れ込み部１１を外方に突き出させるようにして、この帯状体Ｗを構成する一方生地Ｗ’ａと他方生地Ｗ’ｃとの間に取り付け部１０を挟み入れると共に、このように挟み入れた取り付け部１０を両生地Ｗ’ａ、Ｗ’ｂに縫着させることにより、かかる帯状体Ｗに雄パーツ１を取り付けさせるようにしている。（図２）
【００３０】
（バックル／雌パーツ２）
雌パーツ２は、ケース２０と、ボタン体２２と、付勢手段２３と、カバー体２４とを有している。
【００３１】
（バックル／雌パーツ２／ケース２０）
ケース２０は、雌パーツ２の主体を構成するものである。
かかるケース２０は、ボタン体２２の操作部２２３側が突き出される第一開口２０２と、
ボタン体２２の移動方向ｘに交叉する向きから雄パーツ１の入れ込み部１１をケース２０内に受け入れさせる第二開口２０３とが設けられている。
【００３２】
図示の例では、かかるケース２０は、略長方形の外郭形状を備えた幅広の表板２０４、および、幅広の裏板２０５と、この表板２０４の三辺と裏板２０５の三辺との間に形成された幅狭の側板２０６とを備えている。側板２０６によって閉塞されていない表板２０４の一辺と裏板２０５の一辺との間が第一開口２０２となっている。
【００３３】
また、図示の例では、裏板２０５の略中央部に、円形の貫通穴が形成されており、この貫通穴が第二開口２０３となっている。図示の例では、この第二開口２０３の開口縁には、隆起部２０７によって縁取りされている。
【００３４】
また、図示の例にあっては、かかるケース２０に前記他方部材Ｗ”の取り付け部２０１が形成されていると共に、この取り付け部２０１が、ケース２０の外面部に形成された軸部２０１ａに回転可能に組み付けられた回転動作体２０１ｃに形成されている。
【００３５】
具体的には、図示の例にあっては、かかる軸部２０１ａは、軸一端を、ケース２０におけるボタン体２２のスライド方向、つまり、移動方向ｘに沿った一対の幅狭の側板２０６、２０６の一方に一体に連接させた円柱状をなすように構成されている。この軸部２０１ａの軸他端側には周回溝２０１ｂが形成されている。
【００３６】
一方、回転動作体２０１ｃは、筒一端を開放させて筒内部に前記軸部２０１ａを受け入れるように構成された筒部２０１ｄと、この筒部２０１ｄの筒他端との間に他方部材Ｗ”となる帯状体Ｗの通し入れ隙間２０１ｆを形成させるようにしてこの筒部２０１ｄに両端をそれぞれ一体に連接させたバー部２０１ｅとを備えている。図示の例では、筒部２０１ｄの側部に形成された貫通穴２０１ｇを通じてこの筒部２０１ｄに入れ込まれるＣ字状をなすストッパー２０１ｈが、この筒部２０１ｄ内への軸部２０１ａの入れ込みによってこのストッパー２０１ｈの内方に入り込む軸部２０１ａによって一旦弾性的に押し広げられた後、この筒部２０１ｄ内に軸部２０１ａを入れ込み切った位置で弾性復帰して軸部２０１ａの周回溝２０１ｂに引っかかるようになっており、これにより、軸部２０１ａを中心として回転動作体２０１ｃが回転可能な状態でこの軸部２０１ａに回転動作体２０１ｃを組み付け合わさせている。
【００３７】
これにより、この実施の形態にあっては、雌パーツ２に他方部材Ｗ”をその取り付けの向きを可変可能に取り付けさせることができる。
【００３８】
（バックル／雌パーツ２／ボタン体２２）
ボタン体２２は、後端２２１を操作部２２３とすると共に、ケース２０に形成された第一開口２０２から前端２２２を先にしてこのケース２０内に前後方向にスライド可能に入れ込まれてこのケース２０に組み合わされるようになっている。
【００３９】
図示の例では、かかるボタン体２２は、そのスライド方向、つまり、移動方向ｘに直交する向きの板幅をこのスライド方向に沿ったケース２０の一対の幅狭の側板２０６、２０６の内面間のピッチと略等しくするように構成された板状体として構成されている。
【００４０】
かかるボタン体２２には、ケース２０内において第二開口２０３に連通する雄パーツ１の入れ込み部１１の受け入れ空間２２４が形成されている。図示の例では、かかるボタン体２２に、ダルマ穴状をなす貫通穴２２４ａが形成されており、この貫通穴２２４ａの内方がかかる受け入れ空間２２４として機能するようになっている。
【００４１】
そして、この受け入れ空間２２４に臨んだ縁部２２４ｂが、後述するボタン体２２の押し込み前位置において入れ込み部１１の顎部１１２に掛合されるようになっている。
【００４２】
図示の例では、ダルマ穴状をなす貫通穴２２４ａの小径部２２４ｃがボタン体２２の前端２２２側に位置され、かつ、その大径部２２４ｄがボタン体２２の後端２２１側に位置されるようになっている。また、大径部２２４ｄは雄パーツ１の入れ込み部１１の頭部１１１の径と略等しい穴径となっているが、小径部２２４ｃはこの頭部１１１の径よりも小さく、かつ、入れ込み部１１の頸部１１３の径と略等しい穴径となっている。そして図示の例では、付勢手段２３の付勢に抗してボタン体２２をケース２０内に押し込み切った位置（以下、最大押し込み位置という。）において、かかる貫通穴２２４ａの大径部２２４ｄがケース２０の第二開口２０３に整合した状態で連通されるようになっている。それと共に、ボタン体２２の押し込み前位置においては、付勢手段２３の付勢により、第二開口２０３における第一開口２０２側と反対の側の開口縁よりも内方に、かかる貫通穴の小径部２２４ｃの縁部２２４ｂが突き出すようになっている。すなわち、図示の例では、この小径部２２４ｃの縁部２２４ｂが入れ込み部１１の顎部１１２に掛合されるようになっている。また、図示の例では、入れ込み部１１の顎部１１２に続く頸部１１３は前記周回溝１１４によって作られていることから、顎部１１２に小径部２２４ｃの縁部２２４ｂを掛合させた状態において、雌パーツ２は雄パーツ１の入れ込み部１１を中心に回転可能となっている。
【００４３】
すなわち、図示の例では、雌パーツ２の取り付け部２０１に取り付けられた他方部材Ｗ”は、雄パーツ１の入れ込み部１１を回転中心とした移動を可能とされると共に、この回転中心に直交する向きに回転中心を位置させる前記軸部２０１ａをまた回転中心とした移動を可能とされるようにして、バックルを介して一方部材Ｗ’につなぎ合わされるようになっている。
【００４４】
また、図示の例にあっては、ボタン体２２における押し込み前位置において第一開口２０２から突き出される箇所に、ボタン体２２の両側部からこのボタン体２２のスライド方向に交叉する向きに窪み込む凹所２２５が形成されており、この凹所２２５によってボタン体２２の操作部２２３側に外部突所２２６が形成されている。
【００４５】
（バックル／雌パーツ２／付勢手段２３）
付勢手段２３は、ケース２０内にあって、ボタン体２２の操作部２２３側がこのケース２０の第一開口２０２から所定寸法突き出された押し込み前位置にこのボタン体２２を位置づけるようにこのボタン体２２を付勢するように構成されている。
【００４６】
図示の例では、かかる付勢手段２３は、一対の圧縮コイルバネ２３１、２３１として構成されている。両圧縮コイルバネ２３１、２３１は、バネ後端をボタン体２２の前端２２２に押し付けさせ、かつ、バネ前端をケース２０における第一開口２０２に向き合った幅狭の側板２０６の内面に押し付けさせるようにして、ケース２０内に納められている。
【００４７】
図示の例では、ケース２０の裏板２０５における第一開口２０２側に、ボタン体２２のスライド方向に沿って長い長穴２０８が形成されていると共に、ボタン体２２にケース２０体内へのボタン体２２の入れ込みにより一旦弾性変形した後の弾発によってこの長穴２０８に入り込む抜け止め突部２２７が形成されており、ボタン体２２は付勢手段２３の付勢によりこの長穴２０８の後端にこの抜け止め突部２２７を突き当てさせる位置（すなわち、押し込み前位置）までその操作部２２３側をケース２０の第一開口２０２から突き出させるようになっている。
【００４８】
（バックル／雌パーツ２／カバー体２４）
カバー体２４は、押し込み前位置においてケース２０の第一開口２０２から突き出されたボタン体２２の操作部２２３側を、倒伏位置において、このカバー体２４の裏面２４１側からカバー内空間２４２に受け入れこれを覆うように構成されている。
【００４９】
それと共に、かかるカバー体２４は、前記倒伏位置から前方に向けた回動を可能とした状態でケース２０に回動可能に組み付けられている。
【００５０】
図示の例では、かかるカバー体２４は、一対の長辺と一対の短辺とを備えた略長方形の板状をなす表板２４３と、この表板２４３の一対の長辺の一方と一対の短辺とに沿って裏面２４１側に突き出す側板２４４とを備えている。また、一対の長辺の他方の両側には、短辺に沿って形成された側板２４４に続いてこの一対の長辺の他方よりも前方に張り出すアーム部２４５が形成されている。図示の例にあっては、かかる一対のアーム部２４５の内面側に形成された軸突起２４５ａを、ケース２０におけるボタン体２２のスライド方向に沿った両側板２０６、２０６の外面部であって、第一開口２０２近傍の外面部に形成された軸穴２０９に嵌め入れることにより、ケース２０にカバー体２４が回動可能に組み付けられている。倒伏位置において、カバー体２４の表板２４３の前面はケース２０の表板２０４の前面と略同面上に位置され、かつ、この倒伏位置にあるカバー体２４の表板２４３の背面と側板２４４の内面とによって形成されたカバー内空間２４２内に押し込み前位置にあるボタン体２２の操作部２２３側が納められ、ボタン体２２の操作部２２３側はその裏面側を除いてカバー体２４によって覆われるようになっている。（図３〜図５）また、図示の例では、カバー体２４は、この倒伏位置から側板２４４が形成されていない一対の長辺の他方をケース２０の表板２０４の前面に突き当てる位置（以下、起立位置という。）まで前方に向けて回動できるようになっている。（図６〜図８）倒伏位置にあるカバー体２４を起立位置に向けて回動させることにより、ボタン体２２の操作部２２３側は露出され、付勢手段２３の付勢に抗して操作部２２３を利用してこののボタン体２２をケース２０内に押し込み可能な状態が作り出される。
【００５１】
これにより、この実施の形態にかかるバックルによれば、カバー体２４によってボタン体２２の操作部２２３側を覆わない状態において、ボタン体２２の操作部２２３を利用してこのボタン体２２を付勢手段２３の付勢に抗して押し込み前位置からケース２０内に押し込むことにより、第二開口２０３を通じてボタン体２２の受け入れ空間２２４内に雄パーツ１の入れ込み部１１を入れ込ませることができると共に、この後、ボタン体２２の押し込み操作を解くことにより、付勢手段２３の付勢によりボタン体２２を押し込み前位置まで押し戻すことができる。ボタン体２２が押し込み前位置まで押し戻されると、ボタン体２２における受け入れ空間２２４に臨んだ縁部２２４ｂが雄パーツ１の入れ込み部１１の顎部１１２に掛合され、この入れ込み部１１の雌パーツ２を構成するケース２０内からの抜き出しが阻止される。これにより雄パーツ１と雌パーツ２とが留め合わされ、雄パーツ１に取り付けられた一方部材Ｗ’と雌パーツ２に取り付けられた他方部材Ｗ”とがバックルを介してつなぎ合わされることとなる。そして、この状態からカバー体２４を倒伏位置に回動させることにより、押し込み前位置に復帰されたボタン体２２の操作部２２３側をカバー体２４によって覆ってこのボタン体２２の操作部２２３側が予期せず押し込まれてしまうことがない状態をワンタッチで作り出すことができる。雄パーツ１と雌パーツ２との留め合わせの解除は、倒伏位置にあるカバー体２４を前方に向けて回動させてボタン体２２の操作部２２３側を露出させた後、この操作部２２３を利用してボタン体２２をケース２０内に押し込むことによりなすことができる。
【００５２】
また、この実施の形態にあっては、ボタン体２２の操作部２２３側に、カバー体２４の倒伏位置においてこのカバー体２４に形成された第一係合部２４７に係脱可能に係合される第一被係合部２２８が形成されている。
【００５３】
図示の例にあっては、ボタン体２２の後端２２１の略中央部であって、この後端２２１の端面、つまり操作部２２３とボタン体２２の裏面とが接し合う隅部に凹所２２８ａが形成されていると共に、カバー体２４の表板２４３の長辺に沿った側板２４４の略中央部であってその突き出し端に内向きに張り出す突所２４７ａが形成されており、起立位置にあるカバー体２４を倒伏位置まで回動させることにより、この凹所２２８ａに突所２４７ａが、カバー体２４側の弾性変形と弾性復帰とを通じて、引っかかるようになっている。すなわち、図示の例にあっては、かかる突所２４７ａが第一掛合部２４７として、また、かかる凹所２２８ａが第一被掛合部２２８として機能するようになっている。
【００５４】
これにより、この実施の形態にあっては、カバー体２４が伏倒位置にあってボタン体２２の操作部２２３側を覆った状態を、仮に維持させることができる。
【００５５】
また、この実施の形態にあっては、ケース２０に、倒伏位置から前方に向けて起立位置まで回動されたカバー体２４に形成された第二係合部２４６に係脱可能に係合される第二被係合部２１０が形成されている。
【００５６】
図示の例にあっては、ケース２０の軸穴２０９とこのケース２０の表板２０４の前面との間においてこのケース２０の側板２０６の外面にリブ２１０ａが形成されていると共に、カバー体２４のアーム部２４５の内面部であって軸突起２４５ａの側方に小突起２４６ａが形成されており、伏倒位置においてこの小突起２４６ａがリブ２１０ａよりも後方（ボタン体２２の後端２２１側）に位置されると共に、この伏倒位置から起立位置に向けてカバー体２４を回動させることにより、カバー体２４側の弾性変形と弾性復帰とを通じて、このリブ２１０ａを小突起２４６ａが乗り越えて、起立位置においてはこの小突起２４６ａがリブ２１０ａよりも前方に位置されるようになっている。
【００５７】
これにより、この実施の形態にあっては、カバー体２４が起立位置にあってボタン体２２の操作部２２３側を露出させた状態をまた、仮に維持させることができ、この状態でのボタン体２２の押し込み操作をなすにあたってカバー体２４が邪魔にならないようにすることができる。
【００５８】
また、この実施の形態にあっては、ボタン体２２の操作部２２３側に、このボタン体２２のスライド方向に沿った側部から側方に突き出す前記外部突所２２６が形成されていると共に、
カバー体２４に、押し込み前位置にあるボタン体２２の外部突所２２６とケース２０の第一開口２０２縁との間に、このカバー体２４の倒伏位置への回動によって入り込むが、（図５）
押し込み前位置と最大押し込み位置との間にボタン体２２が位置されている状態ではボタン体２２の外部突所２２６に突き当たって前記間に入り込まないように構成された内部突所２４８が形成されている。（図１１）
【００５９】
図示の例にあっては、かかる内部突所２４８は、カバー体２４の一対のアーム部２４５、２４５の基部からそれぞれ、カバー体２４の表板２４３の他方の長辺に沿って内方に向けて延設された板片２４８ａによって構成されている。そして、カバー体２４の倒伏位置において、押し込み前位置にあるボタン体２２の操作部２２３側の一方側に形成された前記凹所２２５に一方の内部突所２４８が入り込み、かつ、このボタン体２２の操作部２２３側の他方側に形成された前記凹所２２５に他方の内部突所２４８が入り込むようになっている。ボタン体２２の受け入れ空間２２４に臨んだ縁部２２４ｂは、ボタン体２２が押し込み前位置にある状態で雄パーツ１の入れ込み部１１の顎部１１２に掛合されるようになっており、ケース２０内への入れ込み部１１の入れ込みが中途半端である場合、つまり、ケース２０内に入れ込み部１１が入れ込み切られていない場合や、入れ込み部１１が斜めに入れ込まれてしまっている場合には、ボタン体２２の押し込み操作を止めても前記付勢手段２３の付勢によりボタン体２２は押し込み前位置までは復帰されない場合が生じ得る。
【００６０】
これにより、この実施の形態にあっては、雄パーツ１の入れ込み部１１の顎部１１２にボタン体２２の受け入れ空間２２４に臨んだ縁部２２４ｂが掛合された状態、つまり、ボタン体２２が押し込み前位置まで付勢手段２３の付勢により押し戻された状態になっていない場合には、カバー体２４の倒伏位置までの回動をできなくすることができ、雄パーツ１の入れ込み部１１の顎部１１２にボタン体２２の受け入れ空間２２４に臨んだ縁部２２４ｂが適切に掛合されていない状態を使用者に容易に認識させることができる。
【００６１】
また、この実施の形態にあっては、倒伏位置にあるカバー体２４の内部突所２４８におけるケース２０の第一開口２０２に向けられた面２４８ｂが、最大押し込み位置にあるボタン体２２の操作部２２３に突き当てられるようになっている。（図１２および図１３）
【００６２】
これにより、この実施の形態にあっては、ボタン体２２を最大押し込み位置に位置づけた状態でカバー体２４を倒伏位置に回動位置づけることにより付勢手段２３の付勢に抗してこのボタン体２２が最大押し込み位置にある状態を維持することができ、ケース２０内に雄パーツ１の入れ込み部１１を入れ込ませても雄パーツ１と雌パーツ２とが留め付けられることがない状態を維持させることができる。
【図面の簡単な説明】
【００６３】
【図１】バックルの分離斜視図
【図２】同使用状態を示した側面図
【図３】同正面図
【図４】同底面図
【図５】同背面図
【図６】同正面図
【図７】同底面図
【図８】同背面図
【図９】同正面図
【図１０】同底面図
【図１１】同背面図
【図１２】同正面図
【図１３】同背面図
【図１４】ケース２０とボタン体２２とカバー体２４とをケース２０の要部を断面にした状態で分離して示した正面図
【図１５】ケース２０とボタン体２２とカバー体２４とを分離して示した断面図
【図１６】図１４におけるＡ−Ａ線断面図
【符号の説明】
【００６４】
Ｗ’  一方部材
Ｗ”  他方部材
１  雄パーツ
１０  取り付け部
１１  入れ込み部
１１１  頭部
１１２  顎部
１１３  頸部
２  雌パーツ
２０  ケース
２０１  取り付け部
２０２  第一開口
２０３  第二開口
２２  ボタン体
２２１  後端
２２２  前端
２２３  操作部
２２４  受け入れ空間
２２４ｂ  縁部
２３  付勢手段
２４  カバー体
【図１】
2006130182.tif 000003
【図２】
2006130182.tif 000004
【図３】
2006130182.tif 000005
【図４】
2006130182.tif 000006
【図５】
2006130182.tif 000007
【図６】
2006130182.tif 000008
【図７】
2006130182.tif 000009
【図８】
2006130182.tif 000010
【図９】
2006130182.tif 000011
【図１０】
2006130182.tif 000012
【図１１】
2006130182.tif 000013
【図１２】
2006130182.tif 000014
【図１３】
2006130182.tif 000015
【図１４】
2006130182.tif 000016
【図１５】
2006130182.tif 000017
【図１６】
2006130182.tif 000018